(57)【要約】【課題】指圧のような按摩効果を奏することが可能な按摩機能付き履物を提供する。【解決手段】履物底部（１０）と、前記履物底部（１０）に連接された履物表面部（１１）と、前記履物底部（１０）の所定箇所に複数の窪み（１２）が形成され各窪み（１２）内に設けられた按摩具（１３）とを有し、前記按摩具（１３）は、上方が開口された受け円筒（１５）と、該受け円筒（１５）の上方には該受け円筒（１５）内に嵌入される浮き具（１６）と、該浮き具（１６）と該受け円筒（１５）との間に介挿される弾性体（１７）とを備え、前記受け円筒（１５）の周壁面には、前記浮き具（１６）の外壁面に設けられた旋回翼（１９）を案内するための案内溝（１８）が形成されている。【選択図】図６
0003120089.tif 000002
【実用新案登録請求の範囲】
【請求項１】
履物底部（１０）と、
前記履物底部（１０）に連接された履物表面部（１１）と、
前記履物底部（１０）の所定箇所に複数の窪み（１２）が形成され、各窪み（１２）内に設けられた按摩具（１３）とを有し、
前記按摩具（１３）は、
上方が開口された受け円筒（１５）と、該受け円筒（１５）の上方には該受け円筒（１５）内に嵌入される浮き具（１６）と、該浮き具（１６）と該受け円筒（１５）との間に介挿される弾性体（１７）とを備え、
前記受け円筒（１５）の周壁面には、前記浮き具（１６）の外壁面に設けられた旋回翼（１９）を案内するための案内溝（１８）が形成されていること
を特徴とする按摩機能付き履物。
【請求項２】
前記浮き具（１６）の頂端には、複数の按摩粒（２０）が設けられてなることを特徴とする請求項１に記載の按摩機能付き履物。
【請求項３】
前記案内溝（１８）は、傾斜形状、又は放物線形状、若しくはＳ字曲線形状であることを特徴とする請求項１に記載の按摩機能付き履物。
【考案の詳細な説明】
【技術分野】
【０００１】
本考案は、按摩機能付き履物に係り、特に、旋回昇降可能な按摩具を備えた按摩機能付き履物に関する。
【背景技術】
【０００２】
従来の按摩機能付きスリッパーは、図１０及び図１１に示すようなものが知られている。図１０は、按摩機能付きスリッパーであり、その使用状態を示す概略図、図１１は、図１０に示す按摩機能付きスリッパーの一部を示す拡大断面図である。
【０００３】
従来の按摩機能付きスリッパーは、図１０及び図１１に示すように、断面形状において二層構造となっており、厚みを有し上面及び下面がフラットな面で形成された下層底部２ａと、この下層底部２ａの上側に固着されて下層底部２ａよりも薄い厚さで上面及び下面がフラットな面で形成された上層底部２ｂとを有する１つのスリッパー底部２と、このスリッパー底部２の上層底部２ｂに連接されたスリッパー表面部１とを有する。
【０００４】
スリッパー底部２の上面側には、図１０に示すように、あらかじめ定められた位置に複数の按摩装置３が設けられている。
【０００５】
按摩装置３は、図１１に示すように、１つの円筒体４と、１つの按摩ピン５と、１つの弾性具６と、１つの調整ブロック７とを有しており、按摩装置３の円筒体４は、スリッパー底部２の下層底部２ａ内に埋め込まれ、按摩ピン５が上層底部２ｂから突出するようになっている。円筒体４の内壁面４ａ、この場合内壁周面には、内ねじ４ｂが形成されており、この内ねじ４ｂと螺合可能で、外周面に螺旋７ａが形成された調整ブロック７が円筒体４の底端の開口端４ｃに螺着できるようになっている。また、按摩ピン５は、図１０に示すように、異なる長さのものが用意されており、前述したように、スリッパー底部２の上層底部２ｂの上面から突出するように円筒体４内に装着されて上下移動可能となっている。また、図１１に示すように、弾性具６は、ばねでなり、円筒体４内に設置されて按摩ピン５の下面側から上方に付勢するようになっている。
【０００６】
弾性具６の他方の側は、調整ブロック７によって所定の位置に保持されている。そして、調整ブロック７は円筒体４の底端の開口端４ｃに螺着可能であり、調整ブロック７を旋回することによって、調整ブロック７が円筒体４の内壁面４ａの内ねじ４ｂに案内されて昇降して弾性具６の圧縮量、すなわち按摩ピン５の下面側から上方へ付勢する付勢力を変更することができる。そうすることによって、弾性具６の支持弾力が変化される。
【０００７】
【特許文献１】特開２００４−１５４３９５号公報
【考案の開示】
【考案が解決しようとする課題】
【０００８】
しかしながら、従来の按摩機能付きスリッパーの構造によれば、弾性具６が上下で弾性的に移動して按摩ピン５の下面側から上方へ付勢することにより按摩効果を達成できるが、その按摩効果は指圧のような按摩効果を奏することができない。また、従来の按摩機能付きスリッパーは、按摩ピン５も異なる長さのものを用意しなければならず、また、調整ブロック７を各々調整し、且つ按摩ピン５の長さとストローク量を各々決定して弾性具６の圧縮量を変更しなければならない。
【課題を解決するための手段】
【０００９】
上記欠点を解決するためになされた本考案による按摩機能付き履物は、履物底部１０と、前記履物底部１０に連接された履物表面部１１と、前記履物底部１０の所定箇所に複数の窪み１２が形成され、各窪み１２内に設けられた按摩具１３とを有し、前記按摩具１３は、上方が開口された受け円筒１５と、該受け円筒１５の上方には該受け円筒１５内に嵌入される浮き具１６と、該浮き具１６と該受け円筒１５との間に介挿される弾性体１７とを備え、前記受け円筒１５の周壁面には、前記浮き具１６の外壁面に設けられた旋回翼１９を案内するための案内溝１８が形成されていることを特徴とするものである。
【００１０】
また、本考案による按摩機能付き履物の浮き具１６の頂端には、複数の按摩粒２０が設けられてなることを特徴とするものである。
【００１１】
また、本考案による按摩機能付き履物の案内溝１８は、傾斜形状、又は放物線形状、若しくはＳ字曲線形状であることを特徴とするものである。
【考案の効果】
【００１２】
本考案によれば、指圧のような按摩効果を奏することができる。
【考案を実施するための最良の形態】
【００１３】
以下、図１乃至図９を参照して本考案の最良な実施の形態について詳細に説明する。
【００１４】
まず、本考案による按摩機能付き履物としての按摩機能付きスリッパーを図１乃至図６を参照して説明する。
【００１５】
図６に示すように、本考案による按摩機能付きスリッパーは、１つの履物底部としてのスリッパー底部１０と、スリッパー底部１０に連接された履物表面部としてのスリッパー表面部１１とを有する。
【００１６】
スリッパー底部１０は、図６に示すように、断面形状において厚みを有し上面の表面形状は、人体の足の裏の曲面に応じた形態で形成されている。この表面形状は、人体の足の裏の曲面に応じた形態でなくてもよく、適宜所望の形態を採択することができる。また、スリッパー底部１０は、図１に示すように、正面形態が足型の形態を有しており、図１及び図６に示すように、スリッパー底部１０の上面側にはあらかじめ定められた箇所に所定の深さを有する複数の窪み１２が形成されている。
【００１７】
各窪み１２内には、図６に示すように、按摩具１３が設けられており、按摩具１３は図６、図２乃至図５に示すように、上方に開口された受け円筒１５を有している。受け円筒１５の上方には１つの浮き具１６が受け円筒１５の内側に形成された凹部１４内に摺動可能に嵌入されるように設けられており、浮き具１６と受け円筒１５との間には弾性体１７が介挿されている。本実施の形態では、弾性体１７は１つ設けられている。
【００１８】
図６、図２乃至図５に示すように、受け円筒１５の外周側底部近傍には、上方に傾斜し且つほぼ逆台形形状を呈する係止用突出部１５ａがほぼ周面に亘って形成され、その一部に切欠き１５ａ１が形成されている。また、受け円筒１５の周壁面には、前記係止用突出部１５ａの切欠き１５ａ１から上方に傾斜した傾斜形状の案内溝１８が形成されている。
【００１９】
また、図６、図２乃至図５に示すように、浮き具１６は、砲弾状の形態を有する頭部１６ａと、頭部１６ａの下部に設けられた胴体部１６ｂとを有する。そして、浮き具１６の内側には、図６、図２乃至図５の破線で示すように、弾性体１７を装着可能な開口部１６ｃが設けられている。また、浮き具１６の頭部１６ａの頂端には、ユーザの足裏が浮き具１６を圧縮して刺激される按摩粒２０が複数設けられている。按摩粒２０は、本実施の形態では、先端が曲面を有する突出形状のものでなるが、ユーザの足裏を圧縮して刺激可能なものであれば適宜所望の形態を採択することができる。そして、浮き具１６の胴体部１６ｂの外壁面には、円柱状の突起すなわち旋回翼１９が設けられている。本実施の形態では、旋回翼１９は一対設けられており、この旋回翼１９は、受け円筒１５の周壁面に形成された案内溝１８と係合可能な構成となっている。案内溝１８は、図４に示すように、旋回翼１９が係合して案内されるための孔を形成しているが、案内可能であれば、溝等、その他の形態を適宜採択することができる。
【００２０】
また、図６、図２乃至図５に示すように、弾性体１７は、所定の弾性係数を有するばね等でなり、浮き具１６の胴体部１６ｂの開口部１６ｃと受け円筒１５の凹部１４内に摺動可能に嵌入されて、浮き具１６を上方に付勢する付勢力が付与されている。
【００２１】
次に、図４に示すように、浮き具１６が受け円筒１５に組み入れられた按摩具１３は、図１に示すスリッパー底部１０の窪み１２内に受け円筒１５の下端部分から挿入して装着する。すると、受け円筒１５の係止用突出部１５ａによって下端部方向への挿入が容易に行われ、逆の方向へ抜けを防止することができ、按摩具１３はスリッパー底部１０の窪み１２内に確実に固定して装着される。
【００２２】
また、図６に示すように、ユーザが本考案による按摩機能付きスリッパーを履いて歩行若しくは走行する場合には、ユーザの足裏が浮き具１６を圧縮し按摩粒２０によって刺激される。すなわち、浮き具１６がユーザの足裏によって圧縮されると、旋回翼１９は、弾性体１７の付勢力に抗して案内溝１８により案内されて下方に弾性的に旋回して移動する。したがって、ユーザが歩行若しくは走行している際に、按摩具１３の浮き具１６は旋回しながら按摩効果を奏し、足の裏にあるツボに対する按摩効果を発揮することができる。
【００２３】
また、図７乃至図９に示すように、本考案による案内溝１８の形態は必要によって適宜変更可能である。すなわち、案内溝１８は、例えば傾斜形状とすることができる。また、図７に示すような左へ開口する放物線形状、図８に示すような右へ開口する放物線形状、又は図９に示すようなＳ字曲線形状のような何れか１つの形態を適宜採択することができる。そうすると、旋回翼１９が図７乃至図９に示すような案内溝１８に係合して旋回することによって、按摩効果を発揮することが可能であり、ユーザを満足させることができる。
【００２４】
また、浮き具１６の頂端には、前述した突出形状のものに限らず、所望の形態からなる複数の按摩粒２０を設けてもよい。そうすると、按摩効果は更に向上し、且つスリッパー底部１０の表面形状は人体の足の裏の曲面に応じて形成してもよく、各按摩具１３の浮き具１６は同様の押圧力でユーザの足の裏のツボに対して按摩することが可能である。
【図面の簡単な説明】
【００２５】
【図１】本考案によるスリッパー底部の正面図である。
【図２】本考案による按摩具の正面図である。
【図３】本考案による按摩具の背面図である。
【図４】本考案による按摩具の組合状態を示す概略図である。
【図５】本考案による按摩具の側面図である。
【図６】本考案の使用状態を示す概略図である。
【図７】本考案による案内溝の他の外形を示す概略図である。
【図８】本考案による案内溝のもう一つの外形を示す概略図である。
【図９】本考案による案内溝の更にもう一つの外形を示す概略図である。
【図１０】従来の按摩機能付きスリッパーの使用状態を示す概略図である。
【図１１】図１０に示す按摩機能付きスリッパーの一部を示す拡大断面図である。
【符号の説明】
【００２６】
１        スリッパー表面部          ２      スリッパー底部
２ａ      下層底部                  ２ｂ      上層底部
３        按摩装置                  ４        円筒体
４ａ      内壁面                    ４ｂ      内ねじ
４ｃ      開口端                    ５        按摩ピン
６        弾性具                    ７        調整ブロック
７ａ      螺旋                      １０      スリッパー底部
１１      スリッパー表面部          １２      窪み
１３      按摩具                    １４      凹部
１５      受け円筒                  １５ａ    係止用突出部
１５ａ１  切り欠き                  １６      浮き具
１６ａ    頭部                      １６ｂ    胴体部
１６ｃ    開口部                    １７      弾性体
１８      案内溝                    １９      旋回翼
２０      按摩粒
【図１】
0003120089.tif 000003
【図２】
0003120089.tif 000004
【図３】
0003120089.tif 000005
【図４】
0003120089.tif 000006
【図５】
0003120089.tif 000007
【図６】
0003120089.tif 000008
【図７】
0003120089.tif 000009
【図８】
0003120089.tif 000010
【図９】
0003120089.tif 000011
【図１０】
0003120089.tif 000012
【図１１】
0003120089.tif 000013